(57)【要約】【課題】プリズムの高さ方向や厚み方向の寸法を抑え、薄型で、かつ小型のファインダ装置を提供する。【解決手段】物体像を所定面に結像させるための対物光学系Ｇ１〜Ｇ３，４〜６と、該対物光学系にて結像された物体像を正立正像として観察者の目に供する、プリズム１０および接眼レンズ１１にて構成される接眼光学系とを有するファインダ装置において、前記接眼光学系の前記プリズムは反射作用をする面で構成されると共に、前記プリズム内面の反射面１０ｂ，１０ｄにおいて入射する主光軸Ｏ４，Ｏ５と反射する主光軸Ｏ５，Ｏ６とが形成する平面Ｐ１，Ｐ２が、前記対物光学系に入射する主光軸Ｏ１，Ｏ２に対して非平行であるようにしている。【選択図】図６
2005128364.tif 000002
【特許請求の範囲】
【請求項１】
物体像を所定面に結像させるための対物光学系と、該対物光学系にて結像された物体像を正立正像として観察者の目に供する、プリズムおよび接眼レンズにて構成される接眼光学系とを有するファインダ装置において、
前記接眼光学系の前記プリズムは反射作用をする面で構成されると共に、前記プリズム内面の少なくとも１つの反射面において入射する主光軸と反射する主光軸とが形成する平面が、前記対物光学系に入射する主光軸に対して非平行であることを特徴とするファインダ装置。
【請求項２】
反射作用をする複数の面で構成される光学系を有し、物体像を所定面に結像させて該物体像を正立正像として観察者の目に供するファインダ装置において、
前記光学系に入射する主光軸が該光学系内の複数の反射面でらせんを描くように反射されて射出することを特徴とするファインダ装置。
【請求項３】
物体像を所定面に結像させるための対物光学系と、該対物光学系にて結像された物体像を正立正像として観察者の目に供する、プリズムおよび接眼レンズにて構成される接眼光学系とを有するファインダ装置において、
前記接眼光学系の前記プリズムは反射作用をする面で構成されると共に、前記対物光学系の光路が前記プリズムを透過した後、再度前記プリズムに入射して前記プリズム内面で反射しながら前記接眼レンズに入射することを特徴とするファインダ装置。
【請求項４】
前記対物光学系に入射する光軸と前記接眼レンズからの射出光とが非平行であることを特徴とする請求項１又は３のいずれかに記載のファインダ装置。
【請求項５】
前記対物光学系には、ズーム光学系が含まれることを特徴とする請求項１、３又は４のいずれかに記載のファインダ装置。
【請求項６】
請求項１から５のいずれかに記載したファインダ装置を具備したことを特徴とする光学機器。
【請求項７】
撮像手段を有し、該撮像手段を正面に見た時に、前記ファインダ装置の対物光学系の入射部が前記撮像手段の略直上に配設されていることを特徴とする請求項６に記載の光学機器。
【発明の詳細な説明】
【技術分野】
【０００１】
本発明は、銀塩フィルムカメラやデジタルカメラ等に組み込まれるファインダ装置及び該ファインダ装置を用いた光学機器に関するものである。
【背景技術】
【０００２】
銀塩フィルムを用いるアナログカメラやデジタルカメラ等の光学機器の小型化、薄型化を妨げる要因の一つとして、光学ファインダが挙げられる。そこで従来から、各種カメラの小型化、薄型化のために、以下に述べるようなファインダ装置が提案されている。
【０００３】
例えば特許文献１においては、対物レンズから入射する光軸と接眼レンズからの射出光が非平行な実像式ファインダ装置が提案されている。この構成によれば、接眼レンズ系からの射出光軸を対物レンズ系の入射光軸に対して傾け、また、像反転系を１つのダハプリズムのみで構成して光軸を同一平面内で折り曲げているので、ファインダ機構の簡素化と小型化を達成することを可能としている。
【０００４】
また、特許文献２においては、対物光学系を構成する複数の反射面がパワーを持った自由曲面で構成された反射光学系を有していると共に、少なくともその中の１面の法線に対する軸上反射角が以下の式
５°＜｜θ｜＜２５°
を満たしているファインダ光学系を提案している。この構成によれば、反射角度に制限がない透過面とは独立した反射面（以下、独立反射面と呼ぶ。）に注目し、透過面とは独立した反射面を少なくとも１面で構成すれば、その独立反射面の反射角を小さくすることができるので、強いパワーを付与しても偏心収差の発生量を小さくすることを可能とし、反射光学系で光路を効果的に折り曲げてファインダの小型化を達成している。
【０００５】
また、特許文献３においては、対物レンズ系の複数のレンズ面間に光路を折り曲げる第１反射面を有すると共に、像反転光学系がダハ反射面を有しているファインダ系及びそれを用いた光学機器が提案されている。この構成によれば、第１反射面を有する反射ミラーでファインダ光軸を鈍角に折り返す事でファインダ系の厚み方向の薄型化を達成している。
【０００６】
上記の各従来例はファインダ光軸を同一平面内で折り曲げる事で小型化しているが、これとは別に、例えば特許文献４においては、ファインダ光軸を平行な２つの平面でそれぞれ折り曲げる事で１つの画像表示素子からの映像を両眼で観察できるようにした画像表示装置が提案されている。この構成によれば、３次元光路振り分け部で１つの画像表示素子よりの映像から左眼用光束と右眼用光束とに振り分けた後、左眼、右眼それぞれの接眼プリズムに入射させるので、観察像強度の低下を招く事なく１つの画像表示装置からの映像を両眼に導くことができるものとしている。
【特許文献１】特開２０００−３３８４０３号公報
【特許文献２】特開２０００−１５５３５７号公報
【特許文献３】特開２００２−３５０９３０号公報
【特許文献４】特開２００２−０４０３６１号公報
【発明の開示】
【発明が解決しようとする課題】
【０００７】
しかしながら、上記の各従来技術に関してはそれぞれ以下のような課題を有していた。まず特許文献１においては、カメラの厚み方向にファインダ光学系の対物レンズ系と接眼レンズ系とが並んでいるので、カメラの厚み方向の小型化は難しい事が懸念される。特許文献２においては、従来対物レンズ系が有していたパワーを、反射光学系を構成する反射面にその役割を担わせているので、光学ズームファインダを構成しようとした場合には、そのままでは光学ズームは出来ず、ズーミング用に別レンズ系を備えた場合には、カメラ等の光学機器の薄型化が阻害される事が懸念される。特許文献３においては、前記ファインダ系をカメラに組み込んだ時にはカメラの幅方向にファインダ対物系を展開する事になるので、カメラの幅方向の小型化が難しい。特許文献４においては、通常のファインダ装置に応用した時には、特許文献２と同様、接眼レンズ周りの小型化（薄型化）だけが可能なのであって、やはり光学ズームファインダを構成しようとした場合には、前記特許文献２と同様、カメラ等の光学機器の薄型化が阻害される事が懸念される。
【０００８】
以上のように、従来においては、ファインダ装置を組み込んだ光学機器の薄型化や小型化が困難であった。
【課題を解決するための手段】
【０００９】
上記課題を解決するために、請求項１に記載の発明は、物体像を所定面に結像させるための対物光学系と、該対物光学系にて結像された物体像を正立正像として観察者の目に供する、プリズムおよび接眼レンズにて構成される接眼光学系とを有するファインダ装置において、前記接眼光学系の前記プリズムは反射作用をする面で構成されると共に、前記プリズム内面の少なくとも１つの反射面において入射する主光軸と反射する主光軸とが形成する平面が、前記対物光学系に入射する主光軸に対して非平行であるファインダ装置とするものである。
【００１０】
また、請求項２に記載の発明は、反射作用をする複数の面で構成される光学系を有し、物体像を所定面に結像させて該物体像を正立正像として観察者の目に供するファインダ装置において、前記光学系に入射する主光軸が該光学系内の複数の反射面でらせんを描くように反射されて射出するファインダ装置とするものである。
【００１１】
また、請求項３に記載の発明は、物体像を所定面に結像させるための対物光学系と、該対物光学系にて結像された物体像を正立正像として観察者の目に供する、プリズムおよび接眼レンズにて構成される接眼光学系とを有するファインダ装置において、前記接眼光学系の前記プリズムは反射作用をする面で構成されると共に、前記対物光学系の光路が前記プリズムを透過した後、再度前記プリズムに入射して前記プリズム内面で反射しながら前記接眼レンズに入射するファインダ装置とするものである。
【００１２】
また、請求項６に記載の発明は、請求項１から５のいずれかに記載したファインダ装置を具備した光学機器とするものである。
【００１３】
また、請求項７に記載の発明は、撮像手段を有し、該撮像手段を正面に見た時に、前記ファインダ装置の対物光学系の入射部が前記撮像手段の略直上に配設されると共に接眼光学系が右側に配設されている請求項６に記載の光学機器とするものである。
【発明の効果】
【００１４】
本発明によれば、プリズムの高さ方向や厚み方向の寸法を抑え、薄型で、かつ小型のファインダ装置を提供できるものである。
【００１５】
また、薄型かつ小型のファインダ装置を具備することで機器の小型化を達成するとともに、接眼レンズを覗き易く、かつパララックスの小さな光学機器を提供できるものである。
【発明を実施するための最良の形態】
【００１６】
以下の実施例１および実施例２に示す通りである。
【実施例１】
【００１７】
図１ないし図５は本発明の実施例１に係わるファインダ装置１００を説明するための図であり、詳しくは、図１はファインダ装置のワイド時の斜視図、図２はファインダ装置の上面図、図３はファインダ装置の正面図、図４はファインダ装置の右側面図、図５はファインダ装置のテレ時の斜視図である。本実施例１で取り上げるファインダ装置は、図１と図５の関係から明らかなようにズームファインダ装置である。
【００１８】
図１ないし図５において、Ｇ１は固定の対物レンズ、Ｇ２，Ｇ３はズーミングのために光軸方向に移動可能である対物レンズ、４は光路を折り返すためのミラー、５は後述する接眼プリズム１０の斜面１０ｂに被写体像が入射する時にほぼそのまま直進するように接眼プリズム１０の斜面１０ｂと同じ傾きで僅かなエアギャップで形成されている斜面５ａを有する対物プリズム、６はダハ面６ａを有し、接眼プリズム１０とともに被写体像を正立正像にするための折り返しプリズム６である。
【００１９】
上記の各光学素子（Ｇ１〜Ｇ３及び４〜６）により対物光学系が構成される。なお、折り返しプリズム６のダハ面６ａと折り返し面６ｃはアルミニウムを蒸着した金属反射面である。
【００２０】
１０と１１は接眼光学系を構成する光学素子であって、１０が前述の対物光学系を介してきた被写体像を接眼レンズ１１に導くための接眼プリズムであり、また接眼レンズ１１は図４に示すように、斜めに傾いている。なお、対物光学系と接眼光学系との間、つまり、折り返しプリズム６の射出部６ｂと接眼プリズム１０の入射部１０ａとの間が対物光学系の被写体像形成面である一次結像面になっており、そこには不図示の視野枠等が置かれている。
【００２１】
以上の光路はミラー４での折返し方向を反転したもの、つまり、対称的に反転したレイアウトであっても良い。また、各対物レンズやミラー４等の保持をする保持部材や対物レンズＧ２及びＧ３をズーミングするのに必要な駆動手段等は、図面簡略化のため省略している。
【００２２】
次に、図１〜図５を用いて本発明の実施例１の特徴を詳しく述べる。
【００２３】
被写体から入射した光束は、不図示の保護窓を介して対物レンズＧ１に入射する。その時の光軸はＯ１である。対物レンズＧ１を射出した被写体光束は、ミラー４によって折り返されるので、光軸はＯ２となる。
【００２４】
ミラー４で折り返された被写体光束は、対物レンズＧ２及びＧ３に入射した後、対物プリズム５に入射する。対物プリズム５に入射した被写体光束は対物プリズム５の斜面５ａから射出して接眼プリズム１０の斜面１０ｂへと入射するが、前述したように斜面５ａと斜面１０ｂが同じ傾きであって、僅かなエアギャップしか存在しないので、被写体光束はほぼそのまま直進して斜面１０ｂを透過して接眼プリズム１０に入射する事になる。
【００２５】
接眼プリズム１０に入射した被写体光束は、接眼プリズム１０の面１０ｃから射出して折り返しプリズム６に入射する。そして、ダハ面６ａによって左右反転されながら折り返されて折り返し面６ｃへと進むので、被写体光束の光軸はＯ３となる。さらに折り返し面６ｃによって上下反転された被写体像は、折り返しプリズム６の射出部６ｂから射出し、一次結像面に配置される不図示の視野枠を介して接眼プリズム１０の入射部１０ａから再び接眼プリズム１０に入射する。この時、被写体光束の光軸はＯ４となる。
【００２６】
再度接眼プリズム１０に入射した被写体光束は光軸Ｏ４に沿って斜面１０ｂへと向かうが、この時の被写体光束と斜面１０ｂとの関係を被写体光束が斜面１０ｂで全反射するように折り返しプリズム６や接眼プリズム１０の入射部１０ａ及び斜面１０ｂの傾きを決めている。よって、被写体光束の全部が斜面１０ｂで折り返される。この結果、光軸もＯ５となる。
【００２７】
斜面１０ｂで全反射された被写体光束は、接眼プリズム１０の中を進んで斜面１０ｄへと進む。ここでも被写体光束と斜面１０ｄとの関係を被写体光束が斜面１０ｄで全反射するようにその傾きを決めているので、被写体光束の全部が斜面１０ｄで折り返される。この結果、光軸はＯ６となって接眼レンズ１１へと向かう。斜面１０ｄで全反射された被写体光束は、斜面１０ｅから射出して接眼レンズ１１へと入射するので、この接眼レンズ１１を覗く事によって観察者は被写体像を観察できる事となる。
【００２８】
ここで、接眼プリズム１０での光軸Ｏ４，Ｏ５及びＯ６に着目する。なお、対物レンズＧ１の中心を通って接眼レンズ１１の中心から射出される光線の事を主光軸と呼ぶ事にする。よって、光軸Ｏ１からＯ６は全て主光軸の一部を指す事になる。
【００２９】
図１および図２に示したように、接眼プリズム１０に光軸Ｏ１及びＯ２それぞれに垂直な仮想軸Ｌを考えると、光軸Ｏ４，Ｏ５，Ｏ６は軸Ｌを中心にらせんを描くような形で接眼プリズム１０内を進んで接眼レンズ１１に入射する。言い換えると、図６（ａ）及び図６（ｂ）に示したように、接眼プリズム１０の各斜面で被写体光束が反射する時には、その各斜面に入射する主光軸と反射する主光軸とが形成する平面、例えば光軸Ｏ４と光軸Ｏ５とが形成する平面Ｐ１が、対物光学系に入射する主光軸である光軸Ｏ１及びＯ２に対して傾いている、つまり非平行（直交していない）となる。
【００３０】
同様に、光軸Ｏ５と光軸Ｏ６とが形成する平面Ｐ２も光軸Ｏ１及びＯ２に対して傾いている。
【００３１】
上記のような構成をとる事により、一次結像面に配置される不図示の視野枠を介して接眼プリズム１０に入射してから接眼レンズ１１に入射するまでの光路長がある一定値の場合、対物光学系に入射する光軸と平行もしくは垂直な平面内で光路を折り畳む場合に比べて、上記のように接眼プリズム内でらせんを描いて折り返されていく方が接眼プリズム１０の高さ方向寸法Ｈや厚み方向寸法Ｄ（図４参照）を抑える事が出来る。
【００３２】
次に、デジタルカメラ等の光学機器に上記ファインダ装置１００を組み込んだ場合について考える。
【００３３】
図７はファインダ装置１００を組み込んだ光学機器５００の斜視図である。同図において、５０１は被写体像を撮影するための撮像手段であり、不図示の複数の光学素子やＣＣＤ等（銀塩フィルムの場合も含む）の撮像部から構成されている。５０２はストロボ、５０３はファインダ装置１００の被写体像取り込み用のファインダ窓、５０４は被写体像観察用の接眼部である。また５１０は光学機器５００のカバーである。
【００３４】
図８は光学機器５００のカバー５１０を外した時の主要構成部品を示した斜視図である。同図において、５１１は光学機器５００の電源であるバッテリー、５１２及び５１３は光学機器５００の各種制御を行う制御回路が実装された基板、５１４はストロボ５０２を発光するためのメインコンデンサ、５１５は撮像手段５０１にて撮像している被写体像を表示するＬＣＤ等の表示部である。また３００は、ファインダ装置１００を模式的に表したものである。
【００３５】
図７及び図８を用いて、ファインダ装置１００（３００）をデジタルカメラ等の光学機器に組み込んだ場合について説明する。
【００３６】
通常、小型の光学機器５００の使用者は接眼部５０４を右目で覗くので、接眼部５０４は光学機器５００の撮像手段５０１を正面に見た時には向かって右側に配設されるのが望ましい。よって、図８に示したように、ファインダ装置３００は、撮像手段５０１の上部に配設される。その際、破線で示すように対物レンズＧ１が撮像手段５０１の上部に配設され、不図示のミラーが図１から図６に示したのとは反対方向に被写体光束を折り返す。これにより、光学機器５００の向かって右側に接眼光学系を構成する接眼プリズム１０や折り返しプリズム６が配設される事になるので、接眼部５０４が覗き易いばかりでなく、撮像手段５０１と対物レンズＧ１との距離が短いので、ファインダ装置３００の撮像手段５０１とのパララックスも小さく抑える事が可能となる。さらに、上記のようにファインダ装置３００そのものの小型化を達成できるので、光学装置５００を従来に比べてさらに小型化（幅方向においても、厚み方向においても）することが可能となる。
【００３７】
また、ファインダ装置３００の下方にメインコンデンサ５１４や表示部５１５を配設する事で、図８において光学機器５００の向かって左側のスペースにバッテリー５１１を配設する事が出来る。つまり、この左側のスペースに配設する主なものをバッテリー５１１と基板５１２にする事が出来るので、バッテリー５１１を大きくする事が可能になるから、光学機器５００の操作時間、つまり撮像した画像の確認時間や撮影可能枚数の増加が達成できる事になる。これにより、光学機器５００の使い勝手も向上することになる。
【００３８】
以上説明した実施例１によれば、接眼プリズム１０の反射面１０ｂ，１０ｄにおいて入射する主光軸Ｏ４，Ｏ５と反射する主光軸Ｏ５，Ｏ６とが形成する平面Ｐ１，Ｐ２が、対物光学系に入射する主光軸Ｏ１，Ｏ２に対して非平行となるようにしているので、別言すれば、接眼プリズム１０の反射面において入射および反射する主光軸Ｏ４，Ｏ５，Ｏ６が、対物光学系に入射する主光軸Ｏ１，Ｏ２に垂直な仮想軸Ｌを中心にらせんを描くような形で進むようにしているので、接眼プリズム１０の高さ方向寸法Ｈや厚み方向寸法Ｄを抑える事ができ、薄型で、かつ小型のファインダ装置を提供することが可能となった。
【００３９】
また、図４に示したように、接眼レンズ１１が接眼プリズム１０の方に傾いているので、従来のファインダ装置のように接眼プリズムから接眼レンズが厚み方向に飛び出さず、ファインダ装置を組み込んだカメラ等の機器の薄型化が可能になる。
【００４０】
また、接眼プリズム１０の各斜面の傾きや接眼レンズ１１の傾き角を最適設計する事により、接眼プリズム２０の各反射面をアルミニウム膜の蒸着をする事無く被写体光束を全反射される事が出来るから、従来に比べてアルミニウム膜の蒸着分のコストダウンを達成する事が出来る。
【００４１】
さらに、接眼プリズム１０の斜面１０ｂが対物光学系として作用する時には透過の作用をし、接眼光学系として作用する時には反射の作用を行うので、接眼プリズム１０の一部が対物光学系と接眼光学系とで共用する事になり、その分、対物プリズム５の大型化や別な光学部材を設ける必要がなくなるので、ファインダ装置１００全体の小型化やコストダウンが可能となる。
【００４２】
更に、ファインダ装置１００（３００）の小型化、薄型化が達成されたので、それを用いたカメラ等の光学機器も小型化、薄型化が可能となった。
【００４３】
更にまた、図８に示すように、撮像手段５０１を正面に見た時に、対物光学系の入射部（対物レンズＧ１）が前記撮像手段５０１の略直上に配設されると共に、接眼光学系が右側に配設されることになるので、ファインダを覗き易く、かつパララックスの小さい光学機器とすることができる。
【００４４】
なお、上記実施例１においては、接眼プリズム１０内で被写体光束は２回全反射しているが、１回以上であれば良く、接眼プリズム１０や折り返しプリズム６の形状や斜面の傾きを、接眼レンズ１１から被写体を覗いた時に正立正像になっているように適宜設計すれば、接眼プリズム１０内で何回全反射を行っても、本実施例１と同様の効果が得られる。したがって、対物光学系に入射する主光軸に対して接眼プリズムの内面で入射および反射する主光軸を非平行とする反射面は、少なくとも１つあれば良い。
【実施例２】
【００４５】
前述の実施例１で説明したファインダ装置１００は、接眼レンズ１１が接眼プリズム１０側に傾いた場合であったが、本発明の実施例２のファインダ装置２００では、接眼レンズ１１に入射する光軸が対物レンズＧ１に入射する光軸Ｏ１と平行な場合について説明する。
【００４６】
図９ないし図１２は本発明の実施例２に係わるファインダ装置２００を説明するための図であり、詳しくは、図９はファインダ装置のワイド時の斜視図、図１０はファインダ装置の上面図、図１１はファインダ装置の正面図、図１２はファインダ装置の右側面図である。なお、前述の実施例１と同等な構成については同一の番号を付し、その説明を省略する。また、実施例１と同様、本実施例２のファインダ装置もズームファインダである。
【００４７】
これらの図において、１６は反射面１６ａ及び反射面１６ｃを有しており、後述の接眼プリズム２０と共に被写体像を正立正像にするための折り返しプリズムである。なお、反射面１６ａ及び反射面１６ｃはアルミニウムを蒸着した金属反射面である。２０は接眼レンズ１１と共に接眼光学系を構成する接眼プリズムである。接眼プリズム２０には対物プリズム５の斜面５ａと同じ傾きで斜面５ａとはわずかなエアギャップで形成されている斜面２０ｂを有している。また折り返しプリズム１６の射出部１６ｂと接眼プリズム２０の入射部２０ａとの間が対物光学系の一次結像面になっており、そこには不図示の視野枠等が置かれている。
【００４８】
以上の光路は、ミラー４での折り返し方向を反転したもの、つまり、対称的に反転したレイアウトであっても良い。
【００４９】
次に、図９〜図１２を用いて、本発明の実施例２の特徴について詳しく述べる。
被写体から入射した光束は、不図示の保護窓を介して対物レンズＧ１に入射する。その時の光軸はＯ１である。対物レンズＧ１を射出した被写体光束は、ミラー４によって折り返されるので、光軸はＯ２となる。
【００５０】
ミラー４で折り返された被写体光束は、対物レンズＧ２及びＧ３に入射した後、対物プリズム５に入射する。対物プリズム５に入射した被写体光束は対物プリズム５の斜面５ａから射出して接眼プリズム２０の斜面２０ｂへと入射するが、前述したように斜面５ａと斜面２０ｂが同じ傾きであって、僅かなエアギャップしか存在しないので、被写体光束はほぼそのまま直進して斜面２０ｂを透過して接眼プリズム２０に入射する事になる。
【００５１】
接眼プリズム２０に入射した被写体光束は、接眼プリズム１０の面２０ｃから射出して折り返しプリズム１６に入射する。そして反射面１６ａによって折り返されて反射面１６ｃへと進むので、被写体光束の光軸はＯ３となる。さらに反射面１６ｃによって上下反転された被写体像は、折り返しプリズム１６の射出部１６ｂから射出し、不図示の視野枠を介して接眼プリズム２０の入射部２０ａから再び接眼プリズム２０に入射する。この時、被写体光束の光軸はＯ４となる。
【００５２】
再度接眼プリズム２０に入射した被写体光束は光軸Ｏ４に沿って斜面２０ｂへと向かうが、この時の被写体光束と斜面２０ｂとの関係を被写体光束が斜面２０ｂで全反射するように折り返しプリズム１６や接眼プリズムの入射部２０ａ及び斜面２０ｂの傾きを決めているので、被写体光束の全部が斜面２０ｂで折り返えされる。この結果、光軸もＯ５となる。
【００５３】
斜面２０ｂで全反射された被写体光束は、接眼プリズム２０の中を進んで平面２０ｆへと進む。ここでも被写体光束と平面２０ｆとの関係を被写体光束が平面２０ｆで全反射するように斜面２０ｂの傾きを決めているので、被写体光束の全部が平面２０ｆで折り返される。この結果、光軸はＯ６となって斜面２０ｄへと向かう。
【００５４】
平面２０ｆで全反射された被写体光束は、被写体光束と斜面２０ｄとの関係を被写体光束が斜面２０ｄで全反射しつつ、なおかつ、被写体光束の主光軸が平面２０ｆに垂直入射するように斜面２０ｄの傾きを決めているので、斜面２０ｄで全反射した被写体光束は平面２０ｆへと向かう。この結果、光軸はＯ７となる。
【００５５】
よって、斜面２０ｄで全反射された被写体光束は、平面２０ｆから射出して接眼レンズ１１へと入射するので、この接眼レンズ１１を覗く事によって観察者は被写体像を観察できる事となる。
【００５６】
ここで、接眼プリズム１０での光軸Ｏ４，Ｏ５及びＯ６に着目する。なお、第１の実施例と同様、対物レンズＧ１の中心を通って接眼レンズ１１の中心から射出される光線の事を主光軸と呼ぶ事にする。よって、光軸Ｏ１からＯ７は全て主光軸の一部を指す事になる。
【００５７】
図９および図１０に示したように、接眼プリズム１０と同様、接眼プリズム２０に光軸Ｏ１及びＯ２それぞれに垂直な仮想軸Ｌを考えると、光軸Ｏ４，Ｏ５，Ｏ６は軸Ｌを中心にらせんを描くような形で接眼プリズム２０内を進んで接眼レンズ１１に入射する。言い換えると、図１３（ａ）及び図１３（ｂ）に示したように、接眼プリズム２０の各斜面や平面で被写体光束が反射する時には、その各斜面及び平面に入射する主光軸と反射する主光軸とが形成する平面、例えば光軸Ｏ４と光軸Ｏ５とが形成する平面Ｐ３が、対物光学系に入射する主光軸である光軸Ｏ１及びＯ２に対して傾いている，つまり非平行となる。
【００５８】
同様に、光軸Ｏ５と光軸Ｏ６とが形成する平面Ｐ４も光軸Ｏ１及びＯ２に対して傾いている。
【００５９】
上記のような構成をとる事により、不図示の視野枠を介して接眼プリズム２０に入射してから接眼レンズ１１に入射するまでの光路長がある一定値の場合、対物光学系に入射する光軸と平行もしくは垂直な平面内で光路を折り畳む場合に比べて、上記のように接眼プリズム内でらせんを描いて折り返されていく方が接眼プリズム２０の高さ方向寸法Ｈや厚み方向寸法Ｄ（図１２参照）を抑える事が出来る。
【００６０】
以上説明した実施例２における構成によれば、接眼プリズム２０の反射面２０ｂ，２０ｆ，２０ｄにおいて入射する主光軸Ｏ４，Ｏ５と反射する主光軸Ｏ５，Ｏ６とが形成する平面Ｐ３，Ｐ４が、対物光学系に入射する主光軸Ｏ１，Ｏ２に対して非平行となるようにしているので、別言すれば、接眼プリズム２０の反射面において入射および反射する主光軸Ｏ４，Ｏ５，Ｏ６が、対物光学系に入射する主光軸Ｏ１，Ｏ２に垂直な仮想軸Ｌを中心にらせんを描くような形で進むようにしているので、接眼プリズム２０の高さ方向寸法Ｈや厚み方向寸法Ｄを抑える事ができ、薄型で、かつ小型のファインダ装置を提供することが可能となった。
【００６１】
また、接眼プリズム２０の各斜面の傾きや接眼レンズ１１の傾き角を最適設計する事により、接眼プリズム２０の各反射面をアルミニウム膜の蒸着をする事無く被写体光束を全反射される事が出来るから、従来に比べてアルミニウム膜の蒸着分のコストダウンを達成する事が出来る。
【００６２】
さらに、接眼プリズム２０の斜面２０ｂが対物光学系として作用する時には透過の作用をし、接眼光学系として作用する時には反射の作用を行うので、接眼プリズム２０の一部が対物光学系と接眼光学系とで共用する事になり、その分、対物プリズム５の大型化や別な光学部材を設ける必要がなくなるので、ファインダ装置２００全体の小型化やコストダウンが可能となる。
【００６３】
更に、ファインダ装置２００の小型化、薄型化が達成されたので、それを用いたカメラ等の光学機器も小型化、薄型化が可能となった。
【００６４】
更にまた、図８と同様に、撮像手段５０１を正面に見た時に、対物光学系の入射部（対物レンズＧ１）が撮像手段５０１の略直上に配設されると共に、接眼光学系が右側に配設されるように、光学機器にファインダ装置２００を組み込むことにより、ファインダを覗き易く、かつパララックスの小さい光学機器とすることができる。
【００６５】
なお、上記実施例２においては、接眼プリズム２０内で被写体光束は３回全反射しているが、１回以上であれば良く、接眼プリズム２０や折り返しプリズム１６の形状や斜面の傾きを、接眼レンズ１１から被写体を覗いた時に正立正像になっているように適宜設計すれば、接眼プリズム２０内で何回全反射を行っても、実施例１と同様の効果が得られる。
【産業上の利用可能性】
【００６６】
本発明は、プリズムの高さ方向や厚み方向の寸法を抑え、薄型でかつ小型な装置とすることができ、また接眼レンズを覗き易くかつパララックスの小さな装置を構成できるという効果を有し、カメラ等に組み込まれるファインダ装置や該ファインダ装置を用いた光学機器に有用である。
【図面の簡単な説明】
【００６７】
【図１】本発明の実施例１に係わるファインダ装置のワイド時を示す斜視図である。
【図２】本発明の実施例１に係わるファインダ装置を示す上面図である。
【図３】本発明の実施例１に係わるファインダ装置を示す正面図である。
【図４】本発明の実施例１に係わるファインダ装置を示す右側面図である。
【図５】本発明の実施例１に係わるファインダ装置のテレ時を示す正面図である。
【図６】本発明の実施例１において、対物光学系に入射する主光軸と接眼プリズム内での主光軸が形成する平面との関係を説明するための図である。
【図７】本発明の実施例１に係わるファインダ装置を光学機器に組み込んだときの全体斜視図である。
【図８】図７において光学機器のカバーを取り外したときの光学機器の主要部品を示す斜視図である。
【図９】本発明の実施例２に係わるファインダ装置を説明するための図である。
【図１０】本発明の実施例２に係わるファインダ装置を示す斜視図である。
【図１１】本発明の実施例２に係わるファインダ装置を示す上面図である。
【図１２】本発明の実施例２に係わるファインダ装置を示す右側面図である。
【図１３】本発明の実施例２において、対物光学系に入射する主光軸と接眼プリズム内での主光軸が形成する平面との関係を説明するための図である。
【符号の説明】
【００６８】
６，１６        折り返しプリズム
１０，２０      接眼プリズム
１１            接眼レンズ
１００，２００  ファインダ装置
０１〜０７      光軸
【図１】
2005128364.tif 000003
【図２】
2005128364.tif 000004
【図３】
2005128364.tif 000005
【図４】
2005128364.tif 000006
【図５】
2005128364.tif 000007
【図６】
2005128364.tif 000008
【図７】
2005128364.tif 000009
【図８】
2005128364.tif 000010
【図９】
2005128364.tif 000011
【図１０】
2005128364.tif 000012
【図１１】
2005128364.tif 000013
【図１２】
2005128364.tif 000014
【図１３】
2005128364.tif 000015